(57)【特許請求の範囲】
【請求項１】
環形蛍光ランプを収納する個装ケースと、前記個装ケースの複数個を収納する外装ケースと、前記個装ケースを前記外装ケースに収納する際に、前記個装ケースと前記外装ケースの間に載置され、前記外装ケースに加わる衝撃を緩和する緩衝材とを備える包装容器であって、前記個装ケースは、立方体の前記個装ケースのコーナー部を２ヵ所以上にわたってカットして形成し、前記環形蛍光ランプの保持面を増加させ、前記環形蛍光ランプの外周部を６点以上抑えるように形成されていることを特徴とする包装容器。
【請求項２】
前記個装ケースは、コーナーカット部を１ヵ所多くカットされている請求項１記載の包装容器。
【請求項３】
前記個装ケースは、またさらに、コーナーカット部を１ヵ所多くカットされている請求項２記載の包装容器。
【請求項４】
前記緩衝材は、コの字状に折り曲げられた形状で上下の面を具備し、前記コの字状の上下の面を折り曲げ方向と反対側に立ち上げる立ち上げ部を具備し、前記コの字状の前記上下の面が前記個装ケースに接し、前記立ち上げ部が、前記外装ケースに接してなる請求項１乃至請求項３のいずれか１項に記載の包装容器。
【請求項５】
前記緩衝材は、前記個装ケースと同一の材料である請求項１乃至請求項４のいずれか１項に記載の包装容器。
【請求項６】
前記同一の材料は、段ボールである請求項５記載の包装容器。
【請求項７】
前記同一の材料は、厚紙である請求項５記載の包装容器。
【請求項８】
前記緩衝材は、前記個装ケースとは異なる材料である請求項１乃至請求項４のいずれか１項に記載の包装容器。
【請求項９】
前記異なる材料は、スポンジである請求項８記載の包装容器。
【請求項１０】
前記緩衝材は、前記上下の面と前記立ち上げ部とが一体型で形成される請求項４乃至請求項９のいずれか１項に記載の包装容器。
【発明の詳細な説明】
【０００１】
【発明の属する技術分野】
本発明は、包装容器およびその緩衝材に関し、特に、個装ケースを複数個収納する外装ケース内に設けた緩衝材を具備する包装容器およびその緩衝材に関する。
【０００２】
【従来の技術】
被包装部材としての環形蛍光ランプを個装ケース（例えば、図１０に示す個装ケース１０２）に収納し、この個装ケース１０２をそのまま外装ケースに収納することは、一般的に周知である。そして、外部の衝撃が直接個装ケースに加わった場合、環形蛍光ランプにその衝撃が伝わらないように、個装ケース内に緩衝材を備えることも周知の事実である。
【０００３】
このような従来の個装ケースまたは外装ケースは、例えば、特開２００１−１８０６１３号公報に開示されている。
【０００４】
環形蛍光ランプを包装に用いている個装ケースについて、図を参照して説明する。図６（ａ）は、環形蛍光ランプの個装ケース内に収められた環形蛍光ランプの包装構造を示す図である。図６（ｂ）は、環形蛍光ランプを収めた個装ケースの形状を示すとともに個装ケースを外装ケースに収納する図である。
【０００５】
図６（ａ）を参照すると、環形蛍光ランプの包装構造は、環形蛍光ランプ６１を個装ケース６２に収容し、その後、個装ケース６２を、図６（ｂ）のように収納する構造である。
【０００６】
また、図７（ａ）は、個装ケースに環形蛍光ランプが収納された状態の正面図で、図７（ｂ）は、図７（ａ）の対角線Ａ−Ａでの断面図を示す。
【０００７】
図７（ａ）を参照すると、環形蛍光ランプ７１は、個装ケース７２の内側にほぼ接するように収納され、個装ケース７２に環形蛍光ランプ７１を収納した際、個装ケース７２に加わる外部衝撃を緩衝材７３が、緩和する。
【０００８】
ここで、緩衝材７３は、例えば、段ボールまたは厚紙またはスポンジを材料として形成されている。すなわち、図７（ａ）に記載の緩衝材７４，７５が個装ケース７２の相対するコーナ部に密着するように載置され、個装ケース７２に加わる外部衝撃力を吸収する。
【０００９】
【発明が解決しようとする課題】
しかしながら、従来の環形蛍光ランプの包装容器では、個装ケースにそれぞれ図７のようにランプ固定用の緩衝材を入れるため、部品点数が増えると共に作業工数が増えてしまい、製品の価格アップの原因になっていた。
【００１０】
また、緩衝材は最終的には廃棄物になってしまうため、環境への配慮もしにくくなっている。さらに、個装ケースに緩衝材を入れた状態でも外装ケースに収納した後に、落下衝撃が加わるとランプの破損が発生していた。
【００１１】
【課題を解決するための手段】
本発明の包装容器は、環形蛍光ランプを収納する個装ケースと、前記個装ケースの複数個を収納する外装ケースと、前記個装ケースを前記外装ケースに収納する際に、前記個装ケースと前記外装ケースの間に載置され、前記外装ケースに加わる衝撃を緩和する緩衝材とを備える包装容器であって、前記個装ケースは、立方体の前記個装ケースのコーナー部を２ヵ所以上にわたってカットして形成し、前記環形蛍光ランプの保持面を増加させ、前記環形蛍光ランプの外周部を６点以上抑えるように形成されている構成である。
【００１２】
さらに、本発明の包装容器の前記個装ケースは、コーナーカット部を１ヵ所多くカットされている構成である。
【００１３】
さらに、本発明の包装容器の前記個装ケースは、またさらに、コーナーカット部を１ヵ所多くカットされている構成である。
【００１４】
またさらに、本発明の包装容器の前記緩衝材は、コの字状に折り曲げられた形状で上下の面を具備し、前記コの字状の上下の面を折り曲げ方向と反対側に立ち上げる立ち上げ部を具備し、前記コの字状の前記上下の面が前記個装ケースに接し、前記立ち上げ部が、前記外装ケースに接してなる構成である。
【００１５】
またさらに、本発明の包装容器の緩衝材は、前記個装ケースと同一の材料である構成であり、また、本発明の包装容器の前記緩衝材は、前記同一の材料は、段ボールである、または、厚紙である構成である。
【００１６】
さらに、本発明の包装容器の緩衝材は、前記個装ケースと異なる材料である構成であり、また、本発明の包装容器の前記緩衝材は、前記異なる材料は、スポンジである構成である。
【００１７】
さらにまた、本発明の包装容器の緩衝材は、前記上下の面と前記立ち上げ部とが一体型で形成される構成である。
【００１８】
【発明の実施の形態】
次に、図面を参照しながら、本発明の実施の形態について説明する。
【００１９】
本発明は、管径の細い環形蛍光ランプ（ＦＨＣ）において、管径が細いために発生するケース落下時のランプ破損を防止する構造である。
【００２０】
図４に示すとおり、被包装部材である環形蛍光ランプを収納する個装ケース４１は、通常立方体であるが、ケース４１のコーナー部４２を２カ所以上にわたってカットし、環形蛍光ランプを保持する面を増加させることにより、落下衝撃がランプに加わった際のがたつきを抑え、破損が防止できる。また、蛍光ランプを収納する個装ケース４１は、フラップ４３を有する構成である。
【００２１】
さらにまた、通常の立方体の個装ケースを使用した場合でも、個装ケースを複数個収納する外装ケース内に緩衝材を設ける。
【００２２】
さらに、図５を参照すると、本発明の第１の実施の形態の包装容器は、蛍光ランプ２１を収納する個装ケース２２のコーナー部を２カ所以上カットしたカット部４２を有し、ランプ外周部が６点で抑えられる。
【００２３】
図１は、本発明の第１の実施の形態の包装容器の緩衝材の斜視図である。
【００２４】
図１を参照すると、本発明の第１の実施の形態の包装容器の緩衝材１１は、コの字上に折り曲げられ、上下の面を折り曲げ方向と反対側に立ち上げる立ち上げ部１２を具備する形状である。
【００２５】
さらに、本発明の第１の実施の形態の包装容器の緩衝材１１の上下の面および立ち上げ部１２は、一体型で構成される。
【００２６】
そして、図２（ａ）および図（ｂ）のそれぞれは、個装ケースを外装ケースに複数個収納する際の包装構造を示す図である。
【００２７】
図２（ａ）および図（ｂ）を参照すると、個装ケース２２を外装ケース２３に複数個収納する際、外装ケース２３の容積を個装ケース２２の個数分の容積より大きく設定し、この空間に、図１の様にコの字上に折り曲げ、上下の面を折り曲げ方向と反対側に立ち上げる形状の緩衝材１１を２個分、個装ケース２２の側面の対向する面に配置させる。
【００２８】
次に、図３は本発明の第１の実施の形態の包装容器の包装状態を説明するための断面形状図である。
【００２９】
図３を参照すると、本発明の第１の実施の形態の包装容器は、外装ケース２３と、この外装ケース２３に接する様に載置される緩衝材（３１，３２）と、緩衝材３１および緩衝材３２に接する様に載置される個装ケース２２と、個装ケース２２の６点で抑えられる環形蛍光ランプ２１とを備える。
【００３０】
さらに、本発明の第１の実施の形態の包装容器の緩衝材３１は、立ち上げ部（３３，３４）を具備し、本発明の第１の実施の形態の包装容器の緩衝材３２は、立ち上げ部（３５，３６）を具備する。
【００３１】
本発明の第１の実施の形態の包装容器の個装ケースは、そのコーナー部をカットした形状にすることにより、ランプ外周部が図５のように６点以上抑えることが出来、ランプの保持固定が強固になる。
【００３２】
また、外装ケース２３に図２の様に、緩衝材１１を配置させることにより、衝撃吸収ゾーンが構成でき、また立ち上がり部がケース幅より小さいためにこれが潰れることにより、効果的に衝撃を吸収できる。
【００３３】
また、上述の説明の本発明の第１の実施の形態の包装容器の個装ケース２２の材料は、例えば、段ボールまたは厚紙とすることもできる。さらに緩衝材１１の材料は、衝撃を吸収する素材であれば良く、例えば、個装ケース２２の材料と同じ材料とすることもできる。
【００３４】
また、逆に、より衝撃を吸収するために、緩衝材１１の材料は、段ボールまたは厚紙よりも柔らかい材料で形成する事もできる。例えば、緩衝材１１の材料にスポンジを用いることもできる。
【００３５】
なお、本発明の第１の実施の形態の包装容器の緩衝材１１の変形として、より衝撃を吸収するために、緩衝材１１の立ち上げ部１２を、緩衝材１１の全体の材料より衝撃を吸収する素材とすることもできる。
【００３６】
次に、本発明の第２の実施の形態の包装容器について説明する。
【００３７】
図８は、本発明の第２の実施の形態の包装容器の個装ケースの形状を示す。
【００３８】
本発明の第２の実施の形態の包装容器の個装ケース８２は、環形蛍光ランプ８１に６点で接し、本発明の第１の実施の形態の包装容器の個装ケース２２より、コーナーカット部を１カ所多くカットしたものである。その他の構成要素は、本発明の第１の実施の形態の包装容器と同一なので、その詳細な説明は、省略する。
【００３９】
次に、本発明の第３の実施の形態の包装容器について説明する。
【００４０】
図９は、本発明の第３の実施の形態の包装容器の個装ケースの形状を示す。
【００４１】
本発明の第３の実施の形態の包装容器の個装ケース９２は、環形蛍光ランプ９１に６点で接し、本発明の第２の実施の形態の包装容器の個装ケース８２より、コーナーカット部を１カ所多くカットしたものである。その他の構成要素は、本発明の第２の実施の形態の包装容器と同一なので、その詳細な説明は、省略する。
【００４２】
本発明の第２の実施の形態の包装容器、本発明の第３の実施の形態の包装容器のいずれのものも、従来品から、部品点数を減らしながら、さらに落下衝撃強度を高めたものである。その構成が本発明の第１の実施の形態の包装容器と相違している。
【００４３】
【発明の効果】
以上説明した通り、従来は、図６に記載の包装方法を採っており、ランプが破損しないように個装ケース内部に、ランプを固定する緩衝部材を配置していた（図７を参照）。また、従来は個装ケースをそのまま外装ケースに収納しており、外部の衝撃が直接個装ケースに加わっていた。
【００４４】
本発明により、外装と個装の間に緩衝材を設けることにより、従来の形状の個装ケースでもランプの破損を防止する効果がある。
【図面の簡単な説明】
【図１】本発明の第１の実施の形態の包装容器の緩衝材の斜視図である。
【図２】本発明の実施の形態の包装容器の個装ケースを外装ケースに複数個収納する際の包装構造を示す図である。
【図３】本発明の第１の実施の形態の包装容器の断面図である。
【図４】本発明の第１の実施の形態の包装容器の個装ケースの構成図である。
【図５】個装ケースに環形蛍光ランプを載置した断面図である。
【図６】従来の個装ケースを外装ケースに包装する包装方法を説明する図である。
【図７】個装ケースに環形蛍光ランプと他の緩衝材を載置した場合の断面図である。
【図８】個装ケースに環形蛍光ランプを載置した場合の断面図である。
【図９】個装ケースに環形蛍光ランプを載置した場合の別の断面図である。
【図１０】個装ケースの斜視図である。
【符号の説明】
１１，３１，３２，７３    緩衝材
１２，３３，３４，３５，３６    立ち上げ部
２１，６１，７１，８１，９１    蛍光ランプ
２２，６２，７２，８２，９２，１０２    個装ケース
２３，６３    外装ケース
４１    個装ケース
４２    カット部
４３    フラップ
【図１】
0003792570.tif 000002
【図２】
0003792570.tif 000003
【図３】
0003792570.tif 000004
【図４】
0003792570.tif 000005
【図５】
0003792570.tif 000006
【図６】
0003792570.tif 000007
【図７】
0003792570.tif 000008
【図８】
0003792570.tif 000009
【図９】
0003792570.tif 000010
【図１０】
0003792570.tif 000011